(57)【要約】【課題】パチンコ機用部品とスロットマシン用部品との交換作業を容易にできる遊技機枠を用いた遊技機を提供することを目的とする。【解決手段】遊技球を保持し、供給するための皿装置２０と、この皿装置から供給される遊技球をスロットマシン用の媒体として取り込むための球取込装置と上記遊技球をパチンコ遊技盤１０２に向けて発射するための球発射装置２００とを交換可能に収納する第１の収納部７９と、この第１の収納部に球取込装置が収納される場合にはスロットマシン用遊技盤を、球発射装置２００が収納される場合にはパチンコ遊技盤１０２を収納するための第２の収納部９９とを備え、パチンコ遊技盤１０２は球発射装置２００と一体に取着されているものとした。【選択図】        図８
2005065767.tif 000002
【特許請求の範囲】
【請求項１】
遊技球を保持し、供給するための皿装置と、
この皿装置から供給される遊技球をスロットマシン用の媒体として取込むための球取込装置と上記遊技球をパチンコ遊技盤に向けて発射するための球発射装置とを交換可能に収納する第１の収納部と、
この第１の収納部に球取込装置が収納される場合にはスロットマシン用遊技盤を、球発射装置が収納される場合にはパチンコ遊技盤を収納するための第２の収納部とを備え、
パチンコ遊技盤は球発射装置と一体に取着されていることを特徴とする遊技機。
【請求項２】
パチンコ遊技盤と、このパチンコ遊技盤に取付けられる球発射装置とを備えたことを特徴とするパチンコ遊技盤ユニット。
【請求項３】
球発射装置は、パチンコ遊技盤と一体に取着されてなることを特徴とする請求項２記載のパチンコ遊技盤ユニット。
【請求項４】
パチンコ機用とスロットマシン用とに共通に使用できる皿装置とスロットマシン用の遊技盤取付用とパチンコ機の遊技盤取付用とに共通に使用できる枠体とを備えた遊技機枠にパチンコ機用の遊技盤が取付けられ、この遊技盤に球発射装置が取付けられたことを特徴とするパチンコ機。
【請求項５】
皿装置が球発射装置に球を供給する球供給孔を備えたことを特徴とする請求項４に記載のパチンコ機。
【請求項６】
枠体が前枠と後部枠とで形成され、前枠が皿装置を備えて後部枠に片開き可能に取付けられたことを特徴とする請求項４又は請求項５に記載のパチンコ機。
【請求項７】
枠体が前枠と後部枠とで形成され、前枠が皿装置を備えて後部枠に片開き可能に取付けられ、前枠の裏面には、後部枠に対して前枠が閉じられた場合に球供給孔を開通し、後部枠に対して前枠が開かれた場合に球供給孔を閉じるシャッタ機構を備えたことを特徴とする請求項４又は請求項５に記載のパチンコ機。
【請求項８】
遊技盤が遊技盤取付枠に着脱可能に取付けられ、この遊技盤を取付けた遊技盤取付枠が枠体に取付けられたことを特徴とする請求項４ないし請求項７のいずれかに記載のパチンコ機。
【請求項９】
皿装置に遊技者が操作するパチンコ機の球発射操作部を備え、この操作部がスロットマシンの遊技操作部としても使用される操作部であることを特徴とする請求項４ないし請求項８のいずれかに記載のパチンコ機。
【請求項１０】
皿装置に遊技者が操作するパチンコ機の球発射操作部とスロットマシンの遊技操作部とを別々に備えたことを特徴とする請求項４ないし請求項８のいずれかに記載のパチンコ機。
【請求項１１】
球発射装置が球供給孔からの球を球発射装置の球受止部に導く球取込樋部材を備えたことを特徴とする請求項５ないし請求項１０のいずれかに記載のパチンコ機。
【請求項１２】
球発射装置が枠体に対する取付部材を備え、取付部材が球発射装置の球受止部に球を１個ずつ供給する球供給機構を備えたことを特徴とする請求項１１に記載のパチンコ機。
【請求項１３】
遊技盤あるいは枠体に設けられたパチンコ機用の制御装置が球発射操作部からの信号に基づいて発射力を調整する発射力調整部と、球発射操作部からの発射指示信号を入力した場合に上記発射調整部で調整された発射力で球発射装置を駆動させる発射駆動部とを備えたことを特徴とする請求項９又は請求項１０に記載のパチンコ機。
【発明の詳細な説明】
【０００１】
【発明の属する技術分野】
この発明はパチンコ機用とスロットマシン用とに共通に使用できる遊技機枠を用いて構成された遊技機に関するものである。
【０００２】
【従来の技術】
遊技球を遊技媒体として使用し、遊技盤の遊技領域内で遊技球を弾かせて遊技を行うパチンコ機と、同じく遊技球を遊技媒体として使用し、複数種類の図柄を複数備えた画像を変動表示させた後停止させ、その停止した図柄の揃い方に応じた遊技を行うスロットマシンとが遊技機の中で知られている。そして、パチンコ機とスロットマシンに共通に使用し得る遊技機枠を備え、パチンコ機用の遊技盤と皿装置と球発射装置と、スロットマシン用の遊技盤と皿装置と球取込装置とを交換することで、パチンコ機としてもスロットマシンとしても構成することができる遊技機枠が知られている（例えば、特許文献１参照）。
【０００３】
【特許文献１】
特開２００２−１９１８１６号公報
【０００４】
【発明が解決しようとする課題】
上記特許文献１の遊技機枠では、皿装置を交換してパチンコ機やスロットマシンを形成するので、交換部品が多く、交換作業が煩雑であった。
本発明は、上記課題を解決するためになされたもので、パチンコ機用部品とスロットマシン用部品との交換作業を容易にできる遊技機枠を用いたパチンコ機を提供することを目的とする。
【０００５】
【課題を解決するための手段】
本発明の請求項１の遊技機は、遊技球を保持し、供給するための皿装置と、この皿装置から供給される遊技球をスロットマシン用の媒体として取込むための球取込装置と上記遊技球をパチンコ遊技盤に向けて発射するための球発射装置とを交換可能に収納する第１の収納部と、この第１の収納部に球取込装置が収納される場合にはスロットマシン用遊技盤を、球発射装置が収納される場合にはパチンコ遊技盤を収納するための第２の収納部とを備え、パチンコ遊技盤は球発射装置と一体に取着されているので、パチンコ機用部品とスロットマシン用部品との交換作業を容易にできる。
請求項２のパチンコ遊技盤ユニットは、パチンコ遊技盤と、このパチンコ遊技盤に取付けられる球発射装置とを備えたので、遊技球を用いたスロットマシン用の遊技機枠に容易に取付けてパチンコ機として使用することができるパチンコ遊技盤ユニットの提供が可能となる。
請求項３のパチンコ遊技盤ユニットは、球発射装置は、パチンコ遊技盤と一体に取着されてなるので、パチンコ遊技盤ユニットの取付けがよりいっそう容易となる。
請求項４のパチンコ機によれば、パチンコ機用とスロットマシン用とに共通に使用できる皿装置とスロットマシン用の遊技盤取付用とパチンコ機の遊技盤取付用とに共通に使用できる枠体とを備えた遊技機枠にパチンコ機用の遊技盤が取付けられ、この遊技盤に球発射装置が取付けられたので、パチンコ機用部品とスロットマシン用部品との交換作業を容易にできる遊技機枠を用いたパチンコ機が得られる。
請求項５のパチンコ機では、皿装置が球発射装置に球を供給する球供給孔を備えたので、皿装置から球供給孔を介して球発射装置に球を供給できる。また、皿装置から球供給孔を介してスロットマシン用の球取込装置に球を供給することも可能となる。
請求項６のパチンコ機では、枠体が前枠と後部枠とで形成され、前枠が皿装置を備えて後部枠に片開き可能に取付けられたので、前枠を開いて遊技盤の交換作業を行え、交換作業が容易になる。
請求項７のパチンコ機では、枠体が前枠と後部枠とで形成され、前枠が皿装置を備えて後部枠に片開き可能に取付けられ、前枠の裏面には、後部枠に対して前枠が閉じられた場合に球供給孔を開通し、後部枠に対して前枠が開かれた場合に球供給孔を閉じるシャッタ機構を備えたので、後部枠に対して前枠が閉じられた場合に球供給孔を介して球を球発射装置に供給でき、後部枠に対して前枠が開かれた場合には球供給孔からの球こぼれを防止できる。
請求項８のパチンコ機では、遊技盤が遊技盤取付枠に着脱可能に取付けられ、この遊技盤を取付けた遊技盤取付枠が枠体に取付けられたので、遊技盤の取付けに際しては、遊技盤を取付けた遊技盤取付枠を枠体に取付けるので、遊技盤を直接に枠体に取付ける作業に比べて取付構造を簡素化できる。
請求項９のパチンコ機では、皿装置に遊技者が操作するパチンコ機の球発射操作部を備え、この操作部がスロットマシンの遊技操作部としても使用される操作部であるので、スロットマシンの操作部をそのまま流用してパチンコ機を形成できる。
請求項１０のパチンコ機では、皿装置に遊技者が操作するパチンコ機の球発射操作部とスロットマシンの遊技操作部とを別々に備えたので、操作部の交換作業を不要とできる。
請求項１１のパチンコ機では、球発射装置が球供給孔からの球を球発射装置の球受止部に導く球取込樋部材を備えたので、球取込樋部材により球を球発射装置の球受止部に導くことができる。
請求項１２のパチンコ機では、球発射装置が枠体に対する取付部材を備え、取付部材が球発射装置の球受止部に球を１個ずつ供給する球供給機構を備えたので、球供給機構により球受止部に球を１個ずつ供給でき、球発射装置の動作信頼性を確保できる。
請求項１３のパチンコ機では、遊技盤あるいは枠体に設けられたパチンコ機用の制御装置が球発射操作部からの信号に基づいて発射力を調整する発射力調整部と、球発射操作部からの発射指示信号を入力した場合に上記発射調整部で調整された発射力で球発射装置を駆動させる発射駆動部とを備えたので、操作部の交換作業を不要とでき、容易にパチンコ機を形成できる。
【０００６】
【発明の実施の形態】
まず、図１ないし図７及び図１５に基づいて実施形態の遊技機枠を用いて構成される遊技機の１つであるスロットマシンについて説明する。図１は実施形態のスロットマシンの分解斜視図、図２は前枠の拡大斜視図、図３は図１の後部枠に遊技盤ユニットが取付けられた状態を示す拡大斜視図、図４は皿装置の球収納部形成カバーの前面斜視図、図５は皿装置の球収納部形成カバーの裏面斜視図、図６は球収納部内壁を前枠の裏側から見た図、図７は前枠を裏側から見た斜視図、図１５は制御ブロック図である。
遊技機枠１００は、図１に示すような後部枠１と、皿装置２０を備えた前枠２とで構成され、前枠２が上，下ヒンジ３，４を介して後部枠１に対して片開き可能に取付けられて成る。この遊技機枠１００に制御装置５、回胴表示装置６、球取込装置７、遊技盤ユニット８その他の遊技部品で構成されるスロットマシン本体が搭載されてスロットマシンが構成される。
【０００７】
後部枠１は島等と呼称される遊技機設置設備に設置される外枠９と、この外枠９に上，下ヒンジ１０，１１を介して外枠９に対して前枠２と同方向に片開き可能に取付けられた中枠１２とで構成される。上ヒンジ３は中枠１２の左上隅部のヒンジ部材１３に設けられた孔１４と前枠２の左上隅部のヒンジ部材１５の内部に設けられて上記孔１４に回転可能に挿着される図外の軸とで構成され、下ヒンジ４は前枠２の左下隅部のヒンジ部材１６に設けられた孔１７と中枠１２の左下隅部のヒンジ部材１８に設けられて上記孔１７に回転可能に挿着される軸１９とで構成される。上，下ヒンジ１０，１１も同様に、外枠９と中枠１２の左上隅部に設けられた一対の図外の孔と軸とにより上ヒンジ１０が構成され、外枠９と中枠１２の左下隅部に設けられた一対の図外の孔と軸とにより下ヒンジ１１が構成される。
【０００８】
前枠２は下部に皿装置２０を備え、上部には中央が開口部２１に形成された前面装飾部２２を備える。前面装飾部２２は開口部２１の両側にサイドランプ２３ｓ，２３ｓを備え、開口部２１の上部にトップランプ２３ｔを備え、トップランプ２３ｔを挟むように左右両側に高音スピーカ２４，２４を備える。高音スピーカ２４，２４は遊技者が音を聞き取りやすいようにやや内方に傾けて配置されている。開口部２１は着脱可能に取付けられた纂２５を介して区画された上部開口部２６と下部開口部２７とを備える。中枠１２の右側部中央の前側には錠２８が設けられ、この錠２８に図外の専用の鉤を差し込んで左に回動することにより、前枠２と中枠１２との間のロックが解除されて、前枠２がヒンジ３，４を支点として片開き可能となる。また、錠２８を右に回動すると中枠１２と外枠９との間のロックが解除されて中枠１２がヒンジ１０，１１を支点として前枠２とともに片開き可能となる。
【０００９】
皿装置２０は、前枠２の前面装飾部２２より前方に突出し、下方に行くにしたがってその横幅が狭くなる形態に形成されている。皿装置２０の球収納部３１は上部開放形状に形成され、球収納部３１は仕切部３２を介して左側には図外の球貸機の球排出ノズルからの貸球を受ける第１収納部３３を、右側には球取込装置７及び後述する球発射装置２００に向けて供給する遊技球を収納するための第２収納部３４を備える。この第１収納部３３と第２収納部３４は中枠１２に設けられた球一時貯留部３５を介して互いに連結されている。球収納部３１は図４，５に示すような球収納部形成カバー３０が皿装置２０の上部開口に嵌め込まれ、球収納部形成カバー３０が前枠２の前面を構成する球収納部内壁３６に取付けられて構成される。球収納部内壁３６には、図６に示すように、第１収納部３３と球一時貯留部３５とを繋ぐ連絡孔３７と、球一時貯留部３５と第２収納部３４とを繋ぐ連絡孔３８と、第２収納部３４と球取込装置７の球取込部７ａとを繋ぐ球供給孔３９とが形成されている。従って、第１収納部３３から連絡孔３７を通過して球一時貯留部３５に入り、さらに球供給孔３９を通って第２収納部３４を経由した球が、図５，６に示すように第２収納部３４から球樋４１Ａを経由して球樋端４１ｅに導かれ、球樋端４１ｅから球供給孔３９を介して球取込装置７の球取込部７ａに供給される。球取込装置７は前枠２の裏面、即ち、収納部内壁３６の裏面４０に取付けられている。
【００１０】
皿装置２０の前面５０には遊技開始指示手段としてのスタートレバースイッチ部５１と、このスタートレバースイッチ部５１からのスタート信号を入力した制御装置５によりステップモータ５２などの駆動手段を介して図柄変動を開始する回胴表示装置６の複数の回胴リール５３の回転をそれぞれ停止させて後述する表示窓８２に図柄を停止させる複数の図柄停止ボタンスイッチ部とを備えている。図１５に示すように、複数の図柄を所定の間隔を隔てて周方向に備えた回胴リール５３と回胴リール５３を回転させるステップモータ５２と回胴リール５３の角度情報を検出するエンコーダ５４とでリールユニット５５が構成され、ここではリールユニット５５を３つ備えた回胴表示装置６を搭載し、これらリールユニット５５毎に対応して設けられた第１図柄停止ボタンスイッチ部６０，第２図柄停止ボタンスイッチ部６１，第３図柄停止ボタンスイッチ部６２を備えている例を示す。尚、回胴リール５３は、ドラム状のリールの外周に複数の図柄を有するリールテープを巻き付けたり複数の図柄を印刷等した形態のものや駆動リールと従動リールとに複数の図柄を有する輪状のリールテープを巻き掛けた形態のものなどがある。
【００１１】
第１図柄停止ボタンスイッチ部６０，第２図柄停止ボタンスイッチ部６１，第３図柄停止ボタンスイッチ部６２の下部に位置する皿装置２０の前面５０には球貸出をカードユニットで行う場合に使用する貸球ボタンスイッチ部６３、球返却ボタンスイッチ部６４、カードの有価価値を表示する表示器６５が設けられており、さらにこれらの下方には球排出ボタンスイッチ部６６が備えられ、この球排出ボタンスイッチ部６６を押すことにより第２収納部３４に貯留されている遊技球が球樋４１Ａに設けられた図５の球排出開閉扉４１ａを介して外部に排出される。また、皿装置２０の図柄停止ボタンスイッチ部６０，６１，６２から見て右側部壁面には本遊技機をパチンコ機として使用する場合に用いられる球発射操作部としての球発射用ハンドル部６７が備えられている。
【００１２】
皿装置２０の上面７０には最大の賭球数（ＭＡＸＢＥＴ）を設定するＭＡＸＢＥＴボタンスイッチ部７１、ＭＡＸＢＥＴよりも小さな賭球数を設定する１ＢＥＴボタンスイッチ部７２、賭球数の設定を取り消すキャンセルボタンスイッチ部７３、遊技者が獲得あるいは投入した球を精算して球を回収するための設定手段である球抜きボタンスイッチ部７４がそれぞれ並べて設けられている。尚、１ＢＥＴボタンスイッチ部７２は、スタートレバースイッチ部５１の操作によるゲーム開始前に設定するものであり、１回目の設定で１ＢＥＴの設定、２回目の設定で２ＢＥＴの設定、３回目の設定で３ＢＥＴ即ちＭＡＸＢＥＴの設定が可能となる。ＭＡＸＢＥＴ設定後１ＢＥＴ、２ＢＥＴに設定し直したい場合にはキャンセルボタンスイッチ部７３を操作することにより、１ＢＥＴボタンスイッチ部７２は初期状態にリセットされ１ＢＥＴの設定が可能となる。また、このスロットマシンにおける１ＢＥＴ当りの賭球数は基本的には５個で、２ＢＥＴで１０個、３ＢＥＴ即ちＭＡＸＢＥＴで１５個の遊技球を１度に賭けることになる。この賭球数によりメダルを使用するスロットマシンに合せた金額投入による遊技を可能にしている。
【００１３】
よって、球取込装置７としては、例えば、球取込部７ａから球を順次１個ずつ取込むための図外のスプロケットと、取込んだ球を検出する光透過型センサ等のセンサ７ｓ（図１５参照）とを設け、センサ７ｓで球取込数を検出してこの検出信号を制御装置５内のカウンタ等で５つ計数する毎にスプロケットを停止するような機構を備えたものを用いればよい。尚、計数した球は還元機へ送られて回収される。
【００１４】
中枠１２はその上部に遊技盤ユニット８を収納する遊技盤ユニット収納部９９（第２の収納部）を有する。遊技盤ユニット８は、制御装置５、回胴表示装置６、液晶表示器６Ａを保持している。また、中枠１２の下部には、低音スピーカ７５、図外の球払出機構、球一時貯留部３５等の様々な遊技部品が取付けられ、さらに、前枠２に取付けられた球取込装置７を収納するための収納孔７９（第１の収納部）を有している。中枠１２には遊技盤ユニット８が取付部７６を介して取付けられ、遊技盤ユニット８の遊技盤パネル８Ａは前枠２の開口部２１を介して遊技者に見えるようになっており、遊技者が直接手で触れることもできる。遊技盤ユニット８は、遊技盤パネル８Ａと、この遊技盤パネル８Ａが取付けられた遊技盤パネル取付枠８Ｂと、この遊技盤パネル８Ａを取付けた遊技盤パネル取付枠８Ｂにより表面を覆われ、回胴表示装置６，液晶表示器６Ａを内部に収納してなり、取付部７６を備え、この取付部７６を介して中枠１２の遊技盤ユニット収納部９９に取付けるための取付枠８Ｃとで構成される。この遊技盤パネル８Ａは、表示窓８２，８３以外を塗料などで塗装して内部が見えないように構成された透視性パネル８０で構成され、表示窓８２を介して回胴表示装置６の各回胴リール５３に設けられた変動図柄及び回胴リール５３が停止した場合の停止図柄を遊技者が見ることができ、また、表示窓８３を介して液晶表示器６Ａの表示面８４に表示される情報を遊技者が見る事ができる。
【００１５】
上記取付部７６は、取付枠８Ｃの上部両側に形成された着脱孔７６ａと、中枠１２に設けられたフック７６ｂとで構成され、フック７６ｂの先端側が着脱孔７６ａに挿通された後にフック７６ｂの先端を回動させて着脱孔７６ａに係止する。従って、遊技盤ユニット８は、下端側を中枠１２の図外の位置決め部に位置決めした後に着脱孔７６ａ内にフック７６ｂの先端側を通してフック７６ｂの先端側を回動させるだけで簡単に取付けることができる。また、遊技盤パネル取付枠８Ｂと取付枠８Ｃとを着脱可能に取付けるための着脱機構は、遊技盤パネル取付枠８Ｂと取付枠８Ｃとの間の前面上下に設けられた一対の吸着用電磁石からなる複数の係合フック７７ａと、この係合フック７７ａの吸着を解除するために遊技盤パネル取付枠８Ｂに取付けられたつまみ７７ｂと、図１，３，８，９から見て遊技盤パネル取付枠８Ｂの左側に配置され、遊技盤パネル取付枠８Ｂを取付枠８Ｃとの間でつまみ７７ｂを手前側に引くことにより前枠２と同方向に片開き可能に支持する図外のヒンジとで構成される。尚、係合フック７７ａはつまみ７７ｂ近傍の遊技盤パネル取付枠８Ｂと取付枠８Ｃとの間に設けてもよい。
【００１６】
また、遊技盤パネル８Ａの右裏側にはリプレイ表示ランプ８５、投入可能表示ランプ８６、及びボーナスゲームの発生を告知する告知ランプ８７を有する。また、遊技盤パネル８Ａの下部裏側にはスタートランプ８８、１ＢＥＴランプ８９、２ＢＥＴランプ９０、３ＢＥＴランプ９１、賞数（ＰＡＹＯＵＴ）表示器９２、ボーナス（ＢＯＮＵＳ）ゲームのゲーム回数又は残ゲーム回数を表示する表示器９３、クレジット球数を表示するクレジット表示器９４、取込球数を表示する表示器、即ち、賭球数表示器９５が配列されている。さらに、前枠２の前面装飾部２２の下側左右には低音スピーカ７５の音出口９６，９７が設けられていて、低音スピーカ７５から発せられた音が球収納部内壁３６と中枠パネル９８とによって形成される空隙を伝わって遊技者に効果的に伝わるように構成されている。また、中枠１２の低音スピーカ７５が設けられている位置の左横には、前枠２の裏面４０に取付けられた球取込装置７をよけて収納するための収納孔７９（第１の収納部）が形成されている。
【００１７】
次に、実施形態の遊技機枠１００を用いて構成される遊技機の１つであるパチンコ機について図８〜図１４及び図１６に基づいて説明する。図８はパチンコ機の分解斜視図、図９は図８の後部枠に遊技盤ユニットが取付けられた状態を示す拡大斜視図、図１０は球発射装置の拡大図、図１１は球発射装置の分解斜視図、図１２は球発射装置と取付部材とを示す分解斜視図、図１３は取付部材に取付けられた球発射装置を示す斜視図、図１４は球発射装置と球取込樋部材とを示す分解斜視図、図１６はパチンコ機の制御ブロック図である。
スロットマシンからパチンコ機に変更する場合には、大まかには、スロットマシン用の遊技盤ユニット８を中枠１２から取りはずして代わりにパチンコ機用の遊技盤ユニット１０１を中枠１２に取付ければよい。即ち、遊技機枠１００にパチンコ機本体を構成する遊技部品を搭載すればよい。つまり、遊技機枠１００は、パチンコ機用とスロットマシン用とに共通に使用できる皿装置２０と、パチンコ機の球発射装置２００の取付用とスロットマシンの球取込装置７の取付用とに共通に使用できる枠体としての中枠１２とを備えたので、パチンコ機用部品とスロットマシン用部品との交換作業において皿装置２０を交換する必要がなく、交換作業を容易にできる。
【００１８】
パチンコ機用の遊技盤ユニット１０１は表面にセル画を貼付したベニヤ板で形成された遊技盤１０２と、この遊技盤１０２の上部を覆い遊技球の外部への飛散を防ぎ、かつ遊技盤１０２の表面を外部から透視可能な透明板で構成された遊技盤パネル８Ａ’と、この遊技盤パネル８Ａ’が取付けられた遊技盤パネル取付枠８Ｂと、この遊技盤パネル８Ａ’を取付けた遊技盤パネル取付枠８Ｂにより覆われ、遊技盤１０２を収納してなり、取付部７６を備え、この取付部７６を介して中枠１２の遊技盤ユニット収納部９９の底板９９ａに取付けるための遊技盤取付枠１０３とを備える。中枠１２に対する取付部７６は上述のスロットマシンにおける構造と同じであり、また、遊技盤取付枠１０３と遊技盤パネル取付枠８Ｂとを着脱可能に取付けるための着脱機構は、上述した係合フック７７ａ、つまみ７７ｂと同じであるので、パチンコ機用の遊技盤ユニット１０１をスロットマシン用の遊技盤ユニット８と取り替える場合は、錠２８を解錠させて前枠２を中枠１２から開いた後、まず、取付部７６のフック７６ｂを回動させてフック７６ｂをスロットマシン用の遊技盤ユニット８の取付枠８Ｃに形成された着脱孔７６ａから抜き出すことにより、遊技盤ユニット８は中枠１２の遊技盤ユニット収納部９９から容易に前方に取りはずすことができる。その後、パチンコ機用の遊技盤ユニット１０１を中枠１２の遊技盤ユニット収納部９９に前方、即ち前枠２側から先ほど遊技盤ユニット８を取着していた場所に設置する。そして、遊技盤ユニット１０１の遊技盤取付枠１０３の着脱孔７６ａに中枠１２のフック７６ｂを挿入した後、フック７６ｂを回動させることにより遊技盤ユニット１０１は中枠１２に固定される。かかる操作により、遊技盤ユニットの交換作業が容易となる。また、遊技盤１０２を取付けた遊技盤ユニット１０１を枠体としての中枠１２に取付けるので、遊技盤１０２を直接に中枠１２に取付ける作業に比べて遊技盤面の釘、役物等を傷めるおそれが少なくなり、取付構造を簡素化できる。
【００１９】
遊技盤１０２の中央には開口１０７とこの開口１０７に続くステージ１０８とで構成された表示窓１０９が設けられ、この表示窓１０９のステージ１０８の奥側に液晶表示装置１１０の表示面１１１が対向するように液晶表示装置１１０が遊技盤１０２の裏面に取付けられている。また、遊技盤１０２の裏面にはパチンコ機用の制御装置１１２が取付けられている。また、遊技盤１０２の盤面１１３にはガイドレール１１４が設けられ、このガイドレール１１４によって囲まれる盤面１１３の内側領域には図示しない多数の釘や始動入賞部品１１５や可変入賞部品１１６等の遊技部品が設けられ、弾球が弾かれて各種の入賞部品に入賞させる遊技が行われる遊技領域１１３ａが形成されている。
【００２０】
遊技盤１０２は、その左側下には、図８，９に示すように、発射装置取付面部１５０が設けられ、この発射装置取付面部１５０には球発射装置２００が取付けられるとともに、この球発射装置２００の発射レール２０７に連なるガイドレール１１４により遊技球投入路１１７が形成されている。この遊技球投入路１１７はやや左に傾いて上下に延長するように形成されており、球発射装置２００も発射レール２０７がやや左に傾いて上下に延長するように取付けられていることにより、球は発射レール２０７及び遊技球投入路１１７のガイドレール１１４に導かれて盤面１１３に供給される。発射装置取付面部１５０は、遊技盤ユニット１０１が中枠１２に取付けられた状態において閉じられる前枠２の皿装置２０で球発射装置２００が隠れるような位置に設けられている。この球発射装置２００の取付態様の詳細は後述する。尚、遊技盤ユニット１０１は内蔵する遊技盤１０２の上に少なくともガイドレール１１４によって囲まれる遊技領域１１３ａに対向する部分が透明で、他はスロットマシン用の遊技盤パネル８Ａとほぼ同様の構成を有する遊技盤パネル８Ａ’によって覆われている。また、前枠２の纂２５は取はずされる。そして、例えば、皿装置２０に設けられた球発射用ハンドル部６７と制御装置１１２、ハンドル部６７の内部に設けられた出力可変スイッチ６８と制御装置１１２との信号配線を行う。以上によりパチンコ機が完成する。
【００２１】
次に球発射装置２００の一例について図１０，１１に基づいて説明する。図１０に示すように、電磁ソレノイド２０１を固定したマウントベース２０２が装置ベース２０３に前後方向（球発射方向）に移動可能に取付けられ、マウントベース２０２を前後方向に案内するガイドレール２０４に雌ねじと雄ねじとよりなるねじ嵌合下で装着された調整操作体２０５が人為操作されると、装置ベース２０３に対するガイドレール２０４の取付位置が変わり、それに伴い、マウントベース２０２と電磁ソレノイド２０１及び電磁ソレノイド２０１に固定されたハンマー２０６が前方又は後方に移動し、発射レール２０７と球受止部２０８とで受け止められている球とハンマー２０６との間の発射開始距離Ｌが調整されるようになっている。図１１に示すように、装置ベース２０３は発射レール取付部２１１、球受止部２０８、マウント収納部２１２、前後一対のガイドレール取付部２１４、調整操作収納部２１５、ガイド取付部２１６、装置ベース２０３を相手側部品である後述の取付部材３００に取付けるため取付孔２１７等を備える。ガイド取付部２１６にはガイド溝２１８を有するロールガイド２１９が止ねじ２２０で固定される。発射レール取付部２１１には発射レール２０７が止ねじ２２１で固定される。マウントベース２０２はソレノイド取付部２２２、前後一対のガイド孔２２３、スライダ取付部２２４、ダンパー受部２２５等を備える。ソレノイド取付部２２２には電磁ソレノイド２０１が図外の止ねじで固定される。スライダ取付部２２４にはロールスライダ２２６が止ねじ２２７で取付けられる。ガイドレール２０４は前後一対の長孔２２８、一端部に形成された雄ねじ部２２９を備える。ガイドレール２０４には前後方向中間部に止輪２３０が装着され、両端部より下部前側ダンパー２３１及び下部後側ダンパー２３２が装着される。ガイドレール２０４の下部前側ダンパー２３１より突出する一端部がマウントベース２０２の前側のガイド孔２２３に後側より挿入され、ガイドレール２０４の下部後側ダンパー２３２より突出する他端部がマウントベース２０２の後側のガイド孔２２３に前側より挿入される。マウントベース２０２より後側に突出したガイドレール２０４の雄ねじ部２２９には調整操作体２０５のねじ孔（貫通孔の孔壁に雌ねじが形成された形態）が嵌め込まれることで、雄ねじ部２２９には調整操作体２０５がガイドレール２０４の軸心と平行な方向に移動可能に装着される。電磁ソレノイド２０１及びガイドレール２０４等が組付けられたマウントベース２０２が装置ベース２０３のマウント収納部２１２に配置され、円盤状の調整操作体２０５が調整操作収納部２１５に周方向に回転操作可能にかつ軸心と平行な方向に移動規制された状態で挿入され、ロールスライダ２２６がロールガイド２１９のガイド溝２１８に嵌め込まれ、ロールガイド２１９とダンパー受部２２５とに上部ダンパー２３４が挟み込まれ、止ねじ２３５がガイドレール２０４の前後一対の長孔２２８より装置ベース２０３における前後一対のガイドレール取付部２１４に個別に締結される。この球発射装置２００は、調整操作体２０５の操作により、図１１の構成部品相互の固体誤差による発射開始距離Ｌのばらつきを解消することができ、電磁ソレノイド２０１やばね２３７及び下部前側ダンパー２３１並びに下部後側ダンパー２３２等の耐久性を向上することができる。
【００２２】
上述のように構成された球発射装置２００は図１２に示すような取付部材３００を介して遊技盤１０２の発射装置取付面部１５０に取付けられ、かつ、取付部材３００のベース３００Ａ及び球発射装置２００には球収納部３１の球収納部内壁３６に形成された球供給孔３９からの球を球発射装置２００の球受止部２０８に導くための図１４に示すような球取込樋部材４００が取付けられる。球取込樋部材４００は孔４０１を介して球発射装置２００の取付孔４０２に止ねじ４０３で固定されるとともに、孔４０４，４０４を介して取付部材３００のベース３００Ａの取付孔４０６，４０６に止ねじ４０５，４０５で固定される。
【００２３】
遊技盤１０２の発射装置取付面部１５０に図外の止ねじ等で取付けられる取付部材３００は、球発射装置２００を収容する収容部３３０と、球発射装置２００の装置ベース２０３に設けられた取付孔２１７，２１７ａを介して装置ベース２０３が止ねじ２５０で取付けられる取付部３０１とを有する（ただし、取付部３０１のすべてにねじ止め固定をしなくてもよい）。また、取付部材３００には球を１個ずつ球発射装置２００の球受止部２０８に導くためのスプロケット３０２を備え、かつ、球を１個ずつ球発射装置２００の球受止部２０８に導くようスプロケット３０２を作動させるスプロケット制御リンク部材３０３を備える。このスプロケット制御リンク部材３０３は、プランジャ２３６の動きに追随して作動するもので、プランジャ２３６の後端３０４に一端３０５が接続され軸３０６を介して回動する第１リンク３０７と、第１リンク３０７の他端３０８に一端が接続された第２リンク３０９と、第２リンク３０９の他端３１０に接続され回転中心軸３１１を介して回動可能となったスプロケット制御部材３１２とを備える。また、第２リンク３０９には圧縮ばね３４０が連結されている。
【００２４】
球発射装置２００の電磁ソレノイド２０１への電力の供給が遮断され、電磁ソレノイド２０１のプランジャ２３６がばね２３７のばね力で後退し、電磁ソレノイド２０１の衝撃吸収体２３８がヨーク２３９に接触し、下部前側ダンパー２３１と下部後側ダンパー２３２及び上部ダンパー２３４それぞれのばね力が平衡し、電磁ソレノイド２０１の先端に取付けられたハンマー２０６が後退位置に停止している場合においては、スプロケット制御部材３１２の規制片３１３がスプロケット３０２の歯に係止してスプロケット３０２の回転を規制し、球供給孔３９から球取込樋部材４００の取込口４１０に取込まれた球は樋部４１１を経てスプロケット３０２の歯で受け止められる。
電磁ソレノイド２０１へ電力が供給され、プランジャ２３６が吸引されてハンマー２０６前方に付勢されると規制片３１３とスプロケット３０２との係合が解除されるとともに押圧片３１４がスプロケットの歯を押圧してスプロケットを１歯分回転させるので、スプロケット３０２で受け止められていた球が球取込樋部材４００の球出口４１２を介して球発射装置２００の球受止部２０へと移動する。
そして、球発射装置２００の電磁ソレノイド２０１への電力の供給が遮断されると、プランジャ２３６がばね２３７のばね力で後退する力と圧縮ばね３４０とにより、規制片３１３がスプロケット３０２の歯に係止してスプロケット３０２の回転を規制し、次の球がスプロケット３０２の歯で受け止められる。
以上が繰り返されることで、球供給孔３９からの球が球取込樋部材４００の取込口４１０に取込まれて球がスプロケット３０２を介して１個ずつ球受止部２０８に送られて発射される。
よって、球発射装置２００がスプロケット３０２とスプロケット制御リンク部材３０３とで構成された球供給機構を備えたので、球発射装置２００の動作信頼性を確保できる。
【００２５】
尚、球発射装置２００は中枠１２に取付けられた遊技盤１０２に取付けられているので、前枠２が開かれた時に球供給孔３９から球がこぼれおちないようにするため、球収納部３１の球収納部内壁３６の裏面４０には、図６に示すように、球供給孔３９を開閉するシャッタ機構４１が設けられている。シャッタ機構４１は球供給孔３９を開閉する開閉部材４２とこの開閉部材４２を作動させる作動部材４３と、球収納部内壁３６の裏面４０に取付けられた中空箱４４とで構成される。作動部材４３は、裏面４０に面する立上り片４３ａと、この立上り片４３ａと連結片４３ｂを介して連結され中空箱４４の内面に面する半円状立上り片４３ｃと、連結片４３ｂより延長して箱４４外に突出する受圧片４３ｄとで構成され、一端が裏面４０に他端が中空箱４４の内面に固定された回転中心軸４５に立上り片４３ａと半円状立上り片４３ｃとが孔４６，４６を介して枢着されて回転可能に取付けられている。開閉部材４２は、裏面４０に面する立上り片４２ａと、この立上り片４２ａと連結片４２ｂを介して連結され中空箱４４の内面に面する半円状立上り片４２ｃと、立上り片４２ａより延長して球供給孔３９を開閉する開閉片４２ｄとで構成され、一端が裏面４０に他端が中空箱の内面に固定された回転中心軸４７に立上り片４２ａと半円状立上り片４２ｃとが孔４８，４８を介して枢着されて回転可能に取付けられている。そして、立上り片４２ａ，４３ａ同士がリンク結合されている。即ち、立上り片４３ａの一端には軸４９ａが設けられ、立上り片４２ａの一端には上記軸４９ａが挿入される長孔４９ｂが形成されている。また、半円状立上り片４３ｃ，４２ｃ同士が圧縮ばね４９ｃで結合されている。従って、前枠２を閉じると、受圧片４３ｄが中枠１２に設けられた図外の押圧部により上方に押されて作動部材４３が回転中心軸４５を介して回転し、これにより、軸４９ａが下方に移動して開閉部材４２が反時計方向に回転するので、球供給孔３９が開通し、球が球取込装置７の球取込部７ａに移動可能となる。前枠２が開かれると受圧片４３ｄへの押圧力が無くなるので、圧縮ばね４９ｃにより作動部材４３と開閉部材４２とが元の位置に戻り、開閉片４２ｄにより球供給孔３９が塞がれる。よって、後部枠１に対して前枠２が閉じられた場合に球供給孔３９を介して球を球取込装置７あるいは後述する球発射装置２００に供給でき、後部枠１に対して前枠２が開かれた場合には球供給孔３９からの球こぼれを防止できる。尚、このシャッタ機構４１は遊技機枠１００を用いてスロットマシンを形成する場合には不要である。
【００２６】
図１５に示すように、スロットマシンの制御装置５は、スタートレバースイッチ部５１からのスタート信号に基づいて回胴表示装置６の回胴リール５３を回転させ、図柄停止ボタンスイッチ部６０〜６２からの停止信号に基づいて回胴リール５３を停止させる。尚、スタートレバースイッチ部５１からのスタート信号に基づいて制御装置５は当たり外れ抽選を行い、当たりが成立しなければ回胴リール５３は当たり図柄で停止しないように制御される。一方、図１６に示すように、このパチンコ機の制御装置１１２は、遊技者の球発射用ハンドル部６７の図８矢印Ｘ又はＹ方向への回動操作角度を可変抵抗等の変化によって検知して出力可変スイッチ６８を変化させて電磁ソレノイド２０１に付与する電力量を可変調整する発射力調整部１９０と、球発射用ハンドル部６７の遊技者の接触による操作を検知することにより球発射装置２００の電磁ソレノイド２０１に発射力調整部１９０で決められた電力を所定の周期で球発射装置２００に供給して球発射装置２００を駆動させる発射駆動部１９１とを備える。球発射用ハンドル部６７が矢印Ｘ方向に回動操作されると、出力可変スイッチ６８の変化に伴う微少電流信号の増加を発射力調整部１９０が検出する。発射力調整部１９０はこの検出した微少電流量に応じて球発射装置２００の発射力を強める。球発射用ハンドル部６７が矢印Ｙ方向に回動操作されると、出力可変スイッチ６８の変化に伴う微少電流信号の減少を発射力調整部１９０が検出する。発射力調整部１９０はこの検出した微少電流量に応じて球発射装置２００の発射力を弱める。即ち、発射力調整部１９０は、出力可変スイッチ６８に流れる微少電流量に基づいて電磁ソレノイド２０１への供給電力量を決定して発射力を調整するものである。
【００２７】
実施形態では、パチンコ機用部品とスロットマシン用部品との交換作業において、皿装置２０を交換する必要がないので、交換作業を容易にできる。
また、遊技機枠１００は、枠体が前枠２と後部枠１とで形成され、前枠２が皿装置２０を備え、前枠２が後部枠１に片開き可能に取付けられた構成としたので、前枠２を開いて遊技盤の交換作業を行え、交換作業が容易になる。
【００２８】
尚、皿装置２０に遊技者が操作するスロットマシンの遊技操作部をパチンコ機の球発射操作部として使用する構成としてもよい。例えばボタンスイッチ部６３，６４のボタン操作に基づいて電磁ソレノイド２０１への電力量を可変調整する発射力調整部１９０と、スタートレバースイッチ部５１が操作されてオンされた場合に出力される球発射指示信号を入力して球発射装置２００の電磁ソレノイド２０１に発射力調整部１９０で決められた電力を所定の周期で球発射装置２００に供給して球発射装置２００を駆動させる発射駆動部１９１とを備えた構成としてもよい。この場合、ボタンスイッチ部６３がオンされ続けるとスイッチ接点を介して流れる微少電流信号の増加を発射力調整部１９０が検出し、発射力調整部１９０はボタンスイッチ部６４からの信号であることを判断して、この検出した微少電流量に応じて球発射装置２００の発射力を強める。ボタンスイッチ部６４がオンされ続けるとスイッチ接点を介して流れる微少電流信号の増加を発射力調整部１９０が検出し、発射力調整部１９０はボタンスイッチ部６４からの信号であることを判断して、この検出した微少電流量に応じて球発射装置２００の発射力を弱める。このようにすれば、スロットマシンの遊技操作部として使用していたスタートレバースイッチ部５１及びボタンスイッチ部６３，６４を球発射操作部として使用したパチンコ機が得られる。
【図面の簡単な説明】
【図１】本発明の実施形態による遊技機枠を用いて構成されたスロットマシンの分解斜視図。
【図２】同遊技機枠の前枠の拡大斜視図。
【図３】同遊技機枠の後部枠に遊技盤ユニットが取付けられた状態を示す拡大斜視図。
【図４】同遊技機枠の皿装置の球収納部形成カバーを示す前面斜視図。
【図５】同遊技機枠の皿装置の球収納部形成カバーを示す裏面斜視図。
【図６】同遊技機枠の皿装置の球収納部内壁を前枠の裏側から見た図。
【図７】同遊技機枠の前枠を裏側から見た斜視図。
【図８】本発明の実施形態による遊技機枠を用いて構成されたパチンコ機の分解斜視図。
【図９】パチンコ機用の遊技盤ユニットを示す拡大斜視図。
【図１０】実施形態によるパチンコ機の球発射装置の拡大図分解斜視図。
【図１１】同パチンコ機の球発射装置の分解斜視図。
【図１２】同パチンコ機の球発射装置と取付部材とを示す分解斜視図。
【図１３】取付部材に取付けられた球発射装置を示す斜視図。
【図１４】同パチンコ機の球発射装置と球取込樋部材とを示す分解斜視図。
【図１５】同遊技機枠を用いて構成されたスロットマシンの制御ブロック図。
【図１６】同遊技機枠を用いて構成されたパチンコ機の制御ブロック図。
【符号の説明】
１  後部枠、２  前枠、７  球取込装置、８  遊技盤ユニット、
８Ａ  遊技盤パネル、８Ｂ  遊技盤パネル取付枠、９  外枠、１２  中枠、
２０  皿装置、３９  球供給孔、４０  裏面、４１  シャッタ機構、
５１  スタートレバースイッチ部、６３，６４  ボタンスイッチ部、
６７  球発射用ハンドル部、７９  収納孔（第１の収納部）、
９９  遊技盤ユニット収納部（第２の収納部）、１００  遊技機枠、
１０２  遊技盤、１０３  遊技盤取付枠、１１２  パチンコ機の制御装置、
１９０  発射力調整部、１９１  発射駆動部、２００  球発射装置、
２０８  球受止部、３００  取付部材、３０２  スプロケット、
３０３  スプロケット制御リンク部材、４００  球取込樋部材。
【図１】
2005065767.tif 000003
【図２】
2005065767.tif 000004
【図３】
2005065767.tif 000005
【図４】
2005065767.tif 000006
【図５】
2005065767.tif 000007
【図６】
2005065767.tif 000008
【図７】
2005065767.tif 000009
【図８】
2005065767.tif 000010
【図９】
2005065767.tif 000011
【図１０】
2005065767.tif 000012
【図１１】
2005065767.tif 000013
【図１２】
2005065767.tif 000014
【図１３】
2005065767.tif 000015
【図１４】
2005065767.tif 000016
【図１５】
2005065767.tif 000017
【図１６】
2005065767.tif 000018